(57)【要約】【課題】  ファクシミリサーバを経由して、複数の相手先にファクシミリ送信を行う場合は、オフフックによって回線を捕捉し、ファクシミリサーバの電話番号を入力した後、全ての相手先の電話番号を操作部から１宛先ずつ入力してトーン送出し、ファクシミリサーバに伝えなければならず、操作が非常に煩雑であった。また、電話番号を誤って入力してしまうと、誤った番号が回線に送出されて誤ダイヤルになるため、操作者は一度回線を切断して、最初からやり直す必要があり、操作者にとっての負荷が大きいという問題があった。【解決手段】  複数の宛先を登録したキーを有し、回線の捕捉中に、そのキーが押下されると、回線の捕捉中に当該回線に対してダイヤル送出があったかどうかを判定し、その回線に対してダイヤル送出があったと判定すると、そのキーに登録されている複数の宛先を回線に送出し、その回線に対してダイヤル送出がなかったと判定した場合はエラー表示を行うように制御する。【選択図】  図６
2015128233.tif 000002
【特許請求の範囲】
【請求項１】
画像データを送受信する画像通信装置であって、
複数の宛先を登録したキーと、
回線の捕捉中に前記キーが押下されると、前記回線の捕捉中に当該回線に対してダイヤル送出があったかどうかを判定する判定手段と、
前記判定手段が前記回線に対してダイヤル送出があったと判定すると前記キーに登録されている前記複数の宛先を前記回線に送出し、前記判定手段が前記回線に対してダイヤル送出がなかったと判定した場合はエラー表示を行うように制御する制御手段と、
を有することを特徴とする画像通信装置。
【請求項２】
画像データを送受信する画像通信装置であって、
事前に送出する電話番号とともに、複数の宛先を登録したキーと、
回線の捕捉中に前記キーが押下されると、前記回線の捕捉中に当該回線に対してダイヤル送出があったかどうかを判定する判定手段と、
前記判定手段が前記回線に対してダイヤル送出があったと判定すると前記キーに登録されている前記複数の宛先を前記回線に送出し、前記判定手段が前記回線に対してダイヤル送出がなかったと判定した場合は、前記キーに対応して登録されている前記事前に送出する電話番号を前記回線に送出した後、前記複数の宛先を前記回線に送出するように制御する制御手段と、
を有することを特徴とする画像通信装置。
【請求項３】
前記回線の捕捉は、オフフックキーの操作により行われることを特徴とする請求項１又は２に記載の画像通信装置。
【請求項４】
前記画像通信装置は、サーバを介して画像データを送信しており、前記回線に対するダイヤル送出は、前記サーバと接続するためのものであることを特徴とする請求項１に記載の画像通信装置。
【請求項５】
前記制御手段は、前記複数の宛先を前記回線に送出する際、前記複数の宛先のそれぞれに対応する電話番号の間に区切り符号を含めて前記回線に送出することを特徴とする請求項１乃至４のいずれか１項に記載の画像通信装置。
【請求項６】
前記制御手段は、
前記キーに登録されている前記複数の宛先を前記回線に送出する前に、複数の宛先への送信であることをユーザに確認するための画面を表示する確認手段を有することを特徴とする請求項１乃至５のいずれか１項に記載の画像通信装置。
【請求項７】
ファクシミリサーバを介して画像データを送受信する画像通信装置であって、
複数の宛先を登録したキーと、
回線の捕捉中に前記キーが押下されると、前記回線の捕捉中に前記ファクシミリサーバとの接続が完了しているかどうかを判定する判定手段と、
前記判定手段が前記ファクシミリサーバとの接続が完了していると判定すると前記キーに登録されている前記複数の宛先を前記回線に送出し、前記判定手段が前記ファクシミリサーバとの接続が完了していないと判定した場合はエラー表示を行うように制御する制御手段と、
を有することを特徴とする画像通信装置。
【請求項８】
ファクシミリサーバを介して画像データを送受信する画像通信装置であって、
前記ファクシミリサーバと接続するための電話番号とともに、複数の宛先を登録したキーと、
回線の捕捉中に前記キーが押下されると、前記回線の捕捉中に前記ファクシミリサーバとの接続が完了しているかどうかを判定する判定手段と、
前記判定手段が前記ファクシミリサーバとの接続が完了していると判定すると前記キーに登録されている前記複数の宛先を前記回線に送出し、前記判定手段が前記ファクシミリサーバとの接続が完了していない判定した場合は、前記キーに対応して登録されている前記電話番号を前記回線に送出した後、前記複数の宛先を前記回線に送出するように制御する制御手段と、
を有することを特徴とする画像通信装置。
【請求項９】
複数の宛先を登録したキーを備え、画像データを送受信する画像通信装置を制御する制御方法であって、
判定手段が、回線の捕捉中に前記キーが押下されると、前記回線の捕捉中に当該回線に対してダイヤル送出があったかどうかを判定する判定工程と、
制御手段が、前記判定工程で前記回線に対してダイヤル送出があったと判定すると前記キーに登録されている前記複数の宛先を前記回線に送出し、前記判定工程で前記回線に対してダイヤル送出がなかったと判定した場合はエラー表示を行うように制御する制御工程と、
を有することを特徴とする画像通信装置の制御方法。
【請求項１０】
コンピュータを、請求項１乃至８のいずれか１項に画像通信装置として機能させるためのプログラム。
【発明の詳細な説明】
【技術分野】
【０００１】
本発明は、画像通信装置及びその制御方法とプログラムに関する。
【背景技術】
【０００２】
従来、ファクシミリ装置は、公衆回線網を介して相手のファクシミリ装置と１対１で接続してファクシミリ通信を行うことができる。一方、相手のファクシミリ装置へのファクシミリ送信を代行するファクシミリサーバが知られている。このようなファクシミリサーバを使用する場合は、相手先の電話番号をファクシミリサーバに通知した後、送信したい画像データをファクシミリサーバに送信する。これによりファクシミリサーバが相手先に、その画像データをファクシミリ送信する。このようなファクシミリサーバを使用したファクシミリ送信を行う場合、送信元のファクシミリ装置の具体的な処理手順は次の通りである。
（１）オフフックして回線を捕捉する。
（２）ファクシミリサーバの電話番号をトーン送出する。
（３）送信先のファクシミリ装置の電話番号をトーン送出する。
（４）手動送信操作で、送信したい画像データをファクシミリサーバへ送信する。
【０００３】
ここで、上記（３）における電話番号の入力は、ユーザが送信元のファクシミリ装置の操作部のテンキーを用いて入力することにより行われる。こうして入力された電話番号に該当する数字がトーン送出される（例えば、特許文献１参照）。
【先行技術文献】
【特許文献】
【０００４】
【特許文献１】特開平９−２３８１５８号公報
【発明の概要】
【発明が解決しようとする課題】
【０００５】
また、このようなファクシミリサーバを使用して、複数の送信先にファクシミリ送信を行う場合の宛先指定は、次のような手順になる。まず送信元のファクシミリ装置のオフフックによって回線を捕捉して、ファクシミリサーバの電話番号を入力する。その後、ユーザは、そのファクシミリ装置の操作部を使用して全ての送信先の電話番号を一つずつ入力してトーン送出することで、ファクシミリサーバが全ての送信先の電話番号を理解する。このような手順では、ユーザは全ての送信先の電話番号を一つずつ入力しなければならないため操作が非常に煩雑であった。また電話番号を誤って入力してしまうと、誤った番号が回線に送出されて誤ダイヤルになる。このような場合は、ユーザは、一度回線を切断して、上述の手順を最初からやり直す必要があり、ユーザにとって負担が大きいという問題があった。
【０００６】
本発明の目的は、上記従来技術の問題点を解決することにある。
【０００７】
本発明の特徴は、サーバを介して複数の送信先にファクシミリ送信を行う場合の操作を容易にする技術を提供することにある。
【課題を解決するための手段】
【０００８】
上記目的を達成するために本発明の一態様に係る画像通信装置は以下のような構成を備える。即ち、
画像データを送受信する画像通信装置であって、
複数の宛先を登録したキーと、
回線の捕捉中に前記キーが押下されると、前記回線の捕捉中に当該回線に対してダイヤル送出があったかどうかを判定する判定手段と、
前記判定手段が前記回線に対してダイヤル送出があったと判定すると前記キーに登録されている前記複数の宛先を前記回線に送出し、前記判定手段が前記回線に対してダイヤル送出がなかったと判定した場合はエラー表示を行うように制御する制御手段と、を有することを特徴とする。
【発明の効果】
【０００９】
本発明によれば、サーバを介して画像データを送信する場合に、複数の宛先を登録したキーを操作することにより、複数の宛先の指定が簡単に行えるという効果がある。これにより、手動で電話番号を一桁ずつ入力する操作に比べて、操作の間違いによる誤ダイヤルや、操作のやり直しが発生せずに確実に送信できるという効果がある。
【００１０】
本発明のその他の特徴及び利点は、添付図面を参照とした以下の説明により明らかになるであろう。なお、添付図面においては、同じ若しくは同様の構成には、同じ参照番号を付す。
【図面の簡単な説明】
【００１１】
添付図面は明細書に含まれ、その一部を構成し、本発明の実施の形態を示し、その記述と共に本発明の原理を説明するために用いられる。
【００１２】
【図１】本発明の実施形態に係るファクシミリ装置（ＭＦＰ）のハードウェア構成を示すブロック図（Ａ）と、操作部の上面図（Ｂ）。
【図２】本実施形態に係るＭＦＰのＲＡＭに記憶されている装置情報の構成図。
【図３】本実施形態に係るＭＦＰのＲＡＭに配置されるワンタッチダイヤルに関連した情報を説明する図。
【図４】本実施形態に係るＭＦＰの処理を説明するフローチャート。
【図５】図４のＳ４０３の回線捕捉時処理を説明するフローチャート。
【図６】図５のＳ５０６のワンタッチキー処理を説明するフローチャート。
【図７】本発明の他の実施形態に係るＭＦＰのＲＡＭに配置されるワンタッチダイヤルに関連した情報を説明する図。
【図８】本発明の他の実施形態に係るＭＦＰによるワンタッチキー処理を説明するフローチャート。
【図９】図６のＳ６０５で表示される確認画面の一例を示す図。
【発明を実施するための形態】
【００１３】
以下、添付図面を参照して本発明の実施形態を詳しく説明する。尚、以下の実施形態は特許請求の範囲に係る本発明を限定するものでなく、また本実施形態で説明されている特徴の組み合わせの全てが本発明の解決手段に必須のものとは限らない。
【００１４】
図１（Ａ）は、本発明の実施形態に係るファクシミリ装置（複合機：ＭＦＰ）１００のハードウェア構成を示すブロック図である。尚、この実施形態では、本発明の画像通信装置の実施例をファクシミリ機能を備えた複合機で説明するが、本発明はこれに限定されるものでなく、ファクシミリ機能単体の装置、或いはＦＡＸモデムを備えた通信装置などにも適用できる。
【００１５】
このＭＦＰ１００は画像データを送受信できるファクシミリ機能を有し、ＣＰＵ１０１，ＲＯＭ１０２，ＲＡＭ１０３、回線制御部（モデム）１０４、操作部１０５、操作部１０５に設けられた表示部１０６、プリンタ部１０７、スキャナ部１０８を備えている。
【００１６】
ＣＰＵ１０１は、システムバス１０９に接続される各部を総括的に制御すると共に、ＲＯＭ１０２に記憶されたソフトウェアを実行して、後述する各フローチャートで示す処理を実行する。ＲＡＭ１０３は、ＣＰＵ１０１の主メモリ及びワークエリアとして機能する他、装置設定等を保存するためのバックアップ可能なメモリとしても機能している。モデム１０４は公衆回線に接続されており、ＣＰＵ１０１の制御の下で、ファクシミリ通信のための手順信号の送信や受信、回線の捕捉及び解放、トーン信号の送出等を行っている。  プリンタ部１０７は、本実施形態では電子写真方式でシート（用紙）に画像を印刷（形成）する。スキャナ部１０８は、用紙に印刷されている画像を光学的に読み取って、その画像に対応する画像データを出力する。スキャナ部１０８には、オプションとしてオートドキュメントフィーダ（自動原稿給紙装置）が装着されており、ここに積載された複数枚の原稿を順次搬送して、各原稿の画像を自動的に読み取ってそれらの画像データを出力することができる。
【００１７】
図１（Ｂ）は、実施形態に係るＭＦＰ１００の操作部１０５の上面図である。
【００１８】
操作部１０５は、ユーザからの指示を入力するのに使用され、電源キー１１６、テンキー１１５、ワンタッチキー１１１、スタートキー１１２、ストップキー１１４、各種設定キー、ＬＥＤ１１３等を備えている。また表示部１０６は操作部１０５に設けられており、ＣＰＵ１０１の制御の下で、ユーザに対するメッセージ等を表示するとともに、装置設定のための設定画面や、動作を決定する操作画面等を表示する。ユーザは、この表示部１０６に表示される画面を介して、各種設定や動作等を指示することができる。ＬＤＥ１１３は、スタートキー１１２による開始指示が可能な場合は青色に、そうでないときは赤色で表示される。ワンタッチキー１１１は、テンキー１１５に対応つけて電話番号を登録し、また各テンキーに対応つけて登録された電話番号を呼び出すのに使用される。尚、これらワンタッチキーは、例えば表示部１０６に複数のワンタッチキーを表示し、各ワンタッチキーに番号を登録しておき、ユーザはその表示されたワンタッチキーにタッチするだけで、そのキーに割り当てられている宛先に送信できるものでも良い。オンフック／オフフックキー１７は、一度押下されるとオフフック状態となり、オフフック状態の時に押下されるとオンフック状態にするキーである。
【００１９】
図２は、本実施形態に係るＭＦＰ１００のＲＡＭ１０３に記憶されている装置情報の構成図である。
【００２０】
ＲＡＭ１０３は、その内部に装置情報保存領域２０１を有しており、ここにこのＭＦＰ１００の動作に関する情報が保存されている。この装置情報保存領域２０１には、回線種別２０２、区切り符号２０３が保存されている。
【００２１】
回線種別２０２は、公衆回線に対してダイヤル信号を送出する場合に、信号送出の方法を保存する領域である。ここには、ダイヤルパルスによる信号送出を意味する「パルス」、トーン信号による信号送出を意味する「トーン」のいずれかを示す値が格納される。
【００２２】
区切り符号２０３は、公衆回線上のファクシミリサーバに対して複数の宛先への送信を指示する場合に、各宛先の区切りを示す情報を保存する領域である。この区切り符号２０３はファクシミリサーバの仕様に応じて、ユーザが使用する符号が登録される。区切り符号２０３としては、例えば「＃」等が一般的である。
【００２３】
更に、この装置情報保存領域２０１には、ワンタッチダイヤルに関連したワンタッチ情報２０４が保存されている。ワンタッチダイヤルとは、ファクシミリ送信や電話をかける相手先のダイヤル情報や通信情報を、操作部１０５のワンタッチキーに関連させて登録するものである。そして、ユーザは、そのワンタッチキーを押下するだけで、その押下したキー関連した宛先に発呼できる。
【００２４】
図３は、本実施形態に係るＭＦＰ１００のＲＡＭ１０３に配置されるワンタッチダイヤルに関連した情報を説明する図である。
【００２５】
この情報は、全体の情報を統括するワンタッチテーブル３０１と、個別の宛先情報を保存する宛先情報レコード３１０とを具備している。ワンタッチテーブル３０１は、一つのワンタッチダイヤルの情報を保存するワンタッチレコード３０２を、操作部１０５のワンタッチキーの数だけ保有している。図３では、３０個のワンタッチキーがある場合を示している。
【００２６】
一つのワンタッチレコード３０２は、ワンタッチＩＤ３０３、宛先情報アドレス３０４を有している。ワンタッチＩＤ３０３は、ワンタッチダイヤルを特定するＩＤ番号を保存している。宛先情報アドレス３０４は、登録されたワンタッチの宛先情報を保存する宛先情報レコード３１０の先頭アドレスを保存している。尚、対応する宛先情報が未登録の場合は、宛先情報アドレス３０４には「ＮＵＬＬ」が格納されている。
【００２７】
宛先情報レコード３１０は、ワンタッチレコード３０２の数と同じ数だけ存在する。一つの宛先情報レコード３１０は、ワンタッチ種別３１１、電話番号３１２、略称３１３、グループメンバＩＤ３１４を有している。
【００２８】
ワンタッチ種別３１１は、ワンタッチダイヤルの種別を保存しており、「個別ダイヤル」か「グループダイヤル」のいずれかが保存される。「個別ダイヤル」は、一つの宛先が設定されていることを意味し、「グループダイヤル」は、複数の宛先を含んだ宛先のグループが設定されていることを意味する。そして「グループダイヤル」を構成する複数の宛先のそれぞれは、「個別ダイヤル」として登録されているワンタッチダイヤルに該当する。電話番号３１２は、ワンタッチダイヤルの宛先の電話番号を保存している。この電話番号３１２は、ワンタッチ種別３１１に「個別ダイヤル」が設定されていた場合に有効になる。
【００２９】
略称３１３は、ワンタッチダイヤルの略称を保存しており、ワンタッチ種別３１１の設定値にかかわらず有効である。
【００３０】
グループメンバＩＤ３１４は、ワンタッチ種別３１１に「グループダイヤル」が設定されていた場合に有効で、グループメンバそれぞれのワンタッチレコード３０２のＩＤを保存している。本実施形態では、１つのグループとして、５つまでの宛先情報をグループ化できるものとする。
【００３１】
このように各ワンタッチキーに、単独の電話番号、或いはグループ化した複数のメンバの宛先情報を登録することにより、ユーザは、そのワンタッチキーを押下するだけで、所望の宛先に送信することができるようになる。
【００３２】
図４は、本実施形態に係るＭＦＰ１００の処理を説明するフローチャートである。尚、この処理を実行するプログラムはＲＯＭ１０２に記憶されており、ＣＰＵ１０１がこのプログラムを読み出して実行することにより、この処理が達成される。
【００３３】
まずＳ４０１の待機状態でＣＰＵ１０１は、操作部１０５でキー入力があったかを否かを判定する。キー入力がない場合はＳ４０１でキー入力があるまで待つ。Ｓ４０１でキー入力があったと判定するとＳ４０２に進み、ＣＰＵ１０１は入力されたキーがオフフックキー１１７かどうかを調べる。オフフックキー１１７が押下された場合は、ユーザは回線の捕捉を望んでいるのでＳ４０３に進み、ＣＰＵ１０１は、回線捕捉を含む回線捕捉時処理を行う。この回線捕捉時処理の詳細は、図５のフローチャートを参照して後述する。Ｓ４０３の回線捕捉時処理が終了した後はＳ４０１に戻る。
【００３４】
Ｓ４０２で入力されたキーがオフフックキー１１７でなかった場合はＳ４０４に進み、ＣＰＵ１０１は、入力されたキーがワンタッチキーかどうかを判定する。ワンタッチキーであった場合はＳ４０５に進み、ＣＰＵ１０１は、入力されたワンタッチキーがグループダイヤルであるかを判定する。ここでは、まず入力されたワンタッチキーに登録されているワンタッチレコード３０２の宛先情報アドレス３０４が示す宛先情報レコード３１０を取得する。そして、その宛先情報レコード３１０のワンタッチ種別３１１が「グループダイヤル」になっているかどうかで判定できる。
【００３５】
Ｓ４０５でグループダイヤルでないと判定したときはＳ４０６に進みＣＰＵ１０１は、入力されたワンタッチキーの宛先情報レコード３１０の電話番号３１２を宛先に追加する。これにより、入力されたワンタッチキーに対してファクシミリ送信の宛先指定があり、そのワンタッチキーに登録されている電話番号が、ファクシミリの送信先リストに加えられたことになる。その後、Ｓ４０１に戻って次のキー入力を待つ。
【００３６】
一方、Ｓ４０５でグループダイヤルであると判定した場合はＳ４０７に進み、ＣＰＵ１０１は、入力されたワンタッチキーが示すグループダイヤルの全てのメンバの電話番号を送信先に追加する。即ち、入力されたワンタッチキーが示すワンタッチレコード３０２の宛先情報アドレス３０４が示す宛先情報レコード３１０を取得する。そして、その宛先情報レコード３１０のグループメンバーＩＤ３１４が示す複数のワンタッチレコード３０２を全て送信先に追加する。これにより、入力されたワンタッチキーに対してファクシミリ送信の宛先指定があり、そのワンタッチキーに登録されている複数の宛先の全てが、ファクシミリの送信先リストに加えられたことになる。その後、Ｓ４０１に戻って次のキー入力を待つ。
【００３７】
一方、Ｓ４０４で入力されたキーがワンタッチキーでなかった場合はＳ４０８に進みＣＰＵ１０１は、入力されたキーがスタートキー１１２かどうかを判定する。スタートキー１１２であった場合は、これまでに入力された送信先に対してのファクシミリ送信の開始指示であるためＳ４０９に進む。Ｓ４０９でＣＰＵ１０１は、ファクシミリの送信先リストから全ての送信先の数を求める。そしてＣＰＵ１０１は、まずファクシミリの送信先リストの先頭の送信先のワンタッチレコード３０２を送信対象とする。次にＳ４１０に進みＣＰＵ１０１は、スキャナ部１０８を制御して原稿を読み取って符号化しＲＡＭ１０３に蓄積する。次にＳ４１１に進みＣＰＵ１０１は、まずモデム１０４を制御して回線を捕捉する。そしてＣＰＵ１０１は、送信対象の宛先のワンタッチレコード３０２から、宛先情報レコード３１０の電話番号３１２が示す電話番号を回線に送出する。その際、回線種別２０２が「パルス」であったらパルス信号で送出し、「トーン」であったらトーン信号で送出する。そしてＣＰＵ１０１はモデム１０４を制御して、Ｓ４１０で読み取った原稿の画像データをＩＴＵ Ｔ．３０手順を用いて、その電話番号の相手先にファクシミリ送信する。こうしてファクシミリ送信が終了するとＣＰＵ１０１は、モデム１０４を制御して回線を解放する。これによりＳ４１１では、１つの送信対象の宛先に対するファクシミリ送信が完了することになる。
【００３８】
次にＳ４１２に進みＣＰＵ１０１は、Ｓ４１１でのファクシミリ送信の結果をＲＡＭ１０３に保存する。このときファクシミリの送信リストにも、その送信の結果を保存する。そしてＳ４１３に進みＣＰＵ１０１は、ファクシミリの送信先リストで未送信の宛先があるか否かを判定する。ここで未送信の宛先があると判定した場合はＳ４１４に進み、ＣＰＵ１０１は、ファクシミリの送信先リストの次の宛先のワンタッチレコード３０２を送信対象の宛先として設定してＳ４１１に進む。尚、このＳ４１４を実行する場合は、同じ原稿を複数の宛先に送る指示がされているのでＳ４１１に戻って、次の宛先に対して前述と同様に、回線捕捉、発呼、ファクシミリ送信、回線解放の手順を実行する。こうしてＳ４１３でＣＰＵ１０１は、未送信の宛先がなくなったと判定すると、送信先が１つだった場合も含めて全ての送信先へのファクシミリ送信が完了しているのでＳ４０１に戻って次のキー入力を待つ。
【００３９】
一方、Ｓ４０８で、入力されたキーがスタートキー１１２でなかった場合はＳ４１５に進み、ＣＰＵ１０１は、入力されたキーに対応するその他の処理を行う。その後、Ｓ４０１に戻って次のキー入力を待つ。
【００４０】
図５は、図４のＳ４０３の回線捕捉時処理を説明するフローチャートである。
【００４１】
先ずＳ５０１でＣＰＵ１０１は、モデム１０４を制御して回線を捕捉する。続いてＣＰＵ１０１は、ＲＡＭ１０３のワーク領域に設けた「ダイヤル送出フラグ」をオフに設定する。この「ダイヤル送出フラグ」は、回線捕捉中にダイヤル送出したかどうかを記憶するために用いるフラグである。ここでは、回線捕捉時に初期化するという意味になる。
【００４２】
次にＳ５０２に進みＣＰＵ１０１は、操作部１０５でキー入力があったかを判定する。キー入力がない場合はＳ５０２に戻ってキー入力があるまで待つ。Ｓ５０２でキー入力があった場合はＳ５０３に進みＣＰＵ１０１は、Ｓ５０２で入力されたキーがテンキー１１５かどうかを判定する。テンキー１１５であった場合には、ユーザはテンキーが意味する数字を回線に送出することを欲しているので、ＣＰＵ１０１はＳ５０４に処理を進め、モデム１０４を制御して入力されたテンキーに対応する電話番号を回線に送出する。その際、回線種別２０２が「パルス」であったらパルス信号で送出し、「トーン」であったらトーン信号で送出する。尚、このときファクシミリサーバを経由したファクシミリ送信依頼であれば、ここでファクシミリサーバの電話番号を入力して、接続を行うことになる。続いて、Ｓ５０２に戻って次のキー入力を待つ。
【００４３】
またＳ５０３で入力されたキーがテンキー１１５でないと判定した場合はＳ５０５に進みＣＰＵ１０１は、入力されたキーがワンタッチキーかどうかを判定する。ワンタッチキーであると判定した場合はＳ５０６に進みＣＰＵ１０１はワンタッチキー処理を行う。このワンタッチキー処理の詳細は、図６を参照して後述する。Ｓ５０６のワンタッチキー処理が終了するとＳ５０２に戻る。
【００４４】
またＳ５０５で入力されたキーがワンタッチキーでないと判定した場合はＳ５０７に進みＣＰＵ１０１は、入力されたキーがスタートキー１１２かどうかを調べる。スタートキー１１２であった場合は回線捕捉中なので、手動送信処理を開始する。まずＳ５０８でＣＰＵ１０１はスキャナ部１０８を制御して原稿を読み取り、その画像データを符号化してＲＡＭ１０３に蓄積を開始する。続いてＳ５０９でＣＰＵ１０１は、モデム１０４を制御して、Ｓ５０８で読み取りを行った原稿の画像データをＩＴＵ Ｔ．３０手順を用いて公衆回線で接続されている相手機にファクシミリ送信を行う。このとき、接続相手がファクシミリサーバであった場合は、Ｓ５０９において画像データがファクシミリサーバに送られる。こうしてファクシミリ送信が完了するとＣＰＵ１０１は、モデム１０４を制御して回線を解放する。続いてＳ５１０に進みＣＰＵ１０１は、Ｓ５０９でのファクシミリ送信の結果をＲＡＭ１０３に保存し、回線捕捉時処理を終了する。
【００４５】
またＳ５０７で入力されたキーがスタートキー１１２でなかった場合はＳ５１１に進みＣＰＵ１０１は、入力されたキーがオフフックキー１１７かどうかを調べる。オフフックキー１１７であった場合は、ユーザは回線を解放することを望んでいるのでＳ５１２に進み、ＣＰＵ１０１は回線を解放して、この回線捕捉時処理を終了する。またＳ５１１で入力されたキーがオフフックキー１１７でなかった場合はＳ５１３に進み、ＣＰＵ１０１は、入力されたキーに対応するその他の処理を行ってＳ５０２に戻る。
【００４６】
図６は、図５のＳ５０６のワンタッチキー処理を説明するフローチャートである。
【００４７】
先ずＳ６０１でＣＰＵ１０１は、入力されたワンタッチキーが「グループダイヤル」かどうかを判定する。ここでは、入力されたワンタッチキーに対応するワンタッチレコード３０２の宛先情報アドレス３０４が示す宛先情報レコード３１０を取得し、宛先情報レコード３１０のワンタッチ種別３１１が「グループダイヤル」になっているか否かを判定する。Ｓ６０１で、入力されたワンタッチキーがグループダイヤルでないと判定した場合はＳ６０２に進み、ＣＰＵ１０１は、モデム１０４を制御して、入力されたワンタッチキーの宛先の電話番号を回線に送出する。その際、回線種別２０２が「パルス」であればパルス信号で送出し、「トーン」であればトーン信号で送出する。このとき、送出する電話番号は、宛先情報レコード３１０内の電話番号３１２に保存されている情報を使用する。このように入力されたワンタッチキーがグループダイヤルでない場合は、一つの宛先の電話番号が登録されているので、ユーザは入力したワンタッチキーの宛先に対して発呼することを望んでいると判断して、通常の発呼を行っている。こうして回線に電話番号を送出した後、このワンタッチキー処理を終了する。
【００４８】
一方、Ｓ６０１で、入力されたワンタッチキーがグループダイヤルであると判定するとＳ６０３に進み、ＣＰＵ１０１は、ＲＡＭ１０３のワーク領域にある「ダイヤル送出フラグ」がオンになっているかを判定する。オンになっていなければＳ６０４に進み、ＣＰＵ１０１は、ワンタッチキーに割り当てられたグループダイヤルに発呼できないことを通知するエラーメッセージを表示部１０６に表示する。ここで「ダイヤル送出フラグ」がオンであることは、公衆回線に対して、何かの番号を意味する信号を送出したことを表している。従って、この「ダイヤル送出フラグ」がオフであることは、まだ公衆回線に対して何も番号を送出していないことを表している。よって、ここでのワンタッチキーの入力は、送信先への発呼のための入力であると考えられる。しかし、押下されたワンタッチキーは「グループダイヤル」であるため複数の宛先を含んでいる。このように回線捕捉状態で送信先へ発呼するときに、複数の宛先を含むグループダイヤルが設定されたワンタッチキーが押されても、そのグループのどの宛先に発呼していいのかわからないので、ここではエラー表示をしている。またここで、そのグループに含まれている複数の宛先の電話番号を送出しても、全ての宛先とつながらないので、ユーザが希望する動作には一致しなくなる。従って、ここでエラー表示を行うのは適切である。こうしてエラー表示後は、ワンタッチキー処理を終了する。尚、この場合は、ユーザは、先ず前述の図５のＳ５０３で、ファクシミリサーバの電話番号を入力して、ファクシミリサーバとの接続を行う必要がある。これにより図５のＳ５０４で「ダイヤル送出フラグ」がオンとなり、グループダイヤルのワンタッチキーが押下された場合に正常な処理ができるようになる。
【００４９】
Ｓ６０３でＣＰＵ１０１が、「ダイヤル送出フラグ」がオンであると判定した場合は、回線捕捉後に回線に対してダイヤルを送出してファクシミリサーバとの接続がなされた後に、グループダイヤルを意味するワンタッチキーが押下されている。この場合は、既にファクシミリサーバとの接続が完了していて、そこに対してグループダイヤルを構成するメンバの宛先に対する同報指示をしている可能性がある。そこで、本実施形態では、ファクシミリサーバに接続されていることを前提として、グループダイヤルの構成メンバの電話番号を回線に送出する処理を行う。
【００５０】
先ずＳ６０５でＣＰＵ１０１は、表示部１０６に複数の宛先の電話番号を連続して回線に送出することをユーザに確認する画面を表示する。
【００５１】
図９は、図６のＳ６０５で表示部１０６に表示される確認画面の一例を示す図である。
【００５２】
９０１が確認メッセージであり、ここでは「複数の宛先が指定されています。連続ダイヤルしますか？」というメッセージが表示されている。ユーザは、「はい」９０２と、「いいえ」９０３のいずれかを選択して、操作部１０５の決定キーを押下する。
【００５３】
これによりＳ６０６からＳ６０７に進みＣＰＵ１０１は、ユーザが「はい」９０２を選択したか否かを判定する。ここでユーザが「はい」９０２を選択していなかった場合は、ユーザは複数の宛先のダイヤルを連続して送出することを許可していないので、そのままこの処理を終了する。
【００５４】
一方、Ｓ６０７で、ユーザが「はい」９０２を選択していると判定した場合はＳ６０８に進み、ＣＰＵ１０１は、入力されたワンタッチキーが示す宛先情報レコード３１０のグループメンバーＩＤ３１４の先頭のメンバＩＤを宛先としてセットする。次にＳ６０９に進みＣＰＵ１０１は、その宛先としてセットされたメンバＩＤから、ワンタッチレコード３０２の宛先情報アドレス３０４が示す宛先情報レコード３１０の電話番号３１２を取得する。そしてモデム１０４を制御して回線に、その電話番号を送出する。次にＳ６１０に進みＣＰＵ１０１は、装置情報保存領域２０１の区切り符号２０３に保存されている符号データを読み出し、モデム１０４を制御して回線に送出する。このように区切り符号を送出することで、送信先がファクシミリサーバである場合に、そのファクシミリサーバに対して宛先の電話番号の区切りを通知できる。こうしてＳ６０９で送出する電話番号と、Ｓ６１０で送出する区切り符号のセットが、ファクシミリサーバに対する送信を依頼する宛先情報の一つを構成することになる。
【００５５】
次にＳ６１１に進みＣＰＵ１０１は、入力されたワンタッチキーが示す宛先情報レコード３１０のグループメンバＩＤ３１４の全ての宛先を通知したか否かを判定する。Ｓ６１１で未通知の宛先があると判定するとＳ６１２に進みＣＰＵ１０１は、入力されたワンタッチキーが示す宛先情報レコード３１０のグループメンバＩＤ３１４の次のメンバＩＤに対応する宛先をセットする。その後Ｓ６０９に戻る。こうしてＳ６１１で、ＣＰＵ１０１が未通知の宛先がなくなったと判定すると、このワンタッチキー処理を終了する。
【００５６】
このようにＳ６０９とＳ６１０の処理を繰り返すことで、送信先がファクシミリサーバである場合に、そのファクシミリサーバに対して、グループメンバーＩＤ３１４が示す全ての宛先への同報のファクシミリ送信を依頼することができる。
【００５７】
以上説明したように本実施形態によれば、ファクシミリサーバを介してファクシミリ送信する場合に、ファクシミリサーバとの接続が完了してから、同報送信を指定するワンタッチキーを押下して複数の送信先の指定することができる。これにより、ユーザはファクシミリサーバの電話番号を入力してファクシミリサーバと接続した後、操作部を使用して同報送信したい全ての送信先の電話番号を一つずつ入力する必要がなくなる。
【００５８】
また、ファクシミリサーバとの接続が完了してからでないと、同報送信を指定するワンタッチキーの押下による複数の送信先の指定を受付けないようにできる。これによりユーザの誤操作を防止できる。
【００５９】
次に本発明の他の実施形態を説明する。
【００６０】
ここでは、前述の実施形態では、ユーザは、ワンタッチキーを押下する前に、ファクシミリサーバとの接続を完了しておく必要があったのに対して、ワンタッチキーに対応して事前に送出するダイヤルを登録しておく。これにより、宛先をグループで指定するワンタッチキーが押下されたときに、そのキー登録されている事前送出ダイヤルに自動的に発呼した後、そのワンタッチキーに登録されている複数の宛先にファクシミリ送信を行うことができる。ここで、その事前に送出するダイヤルを、例えばファクシミリサーバの電話番号とする。これによりユーザは、そのワンタッチキーを押すだけで、自動的にそのファクシミリサーバと接続し、その後、そのファクシミリサーバを介して、そのワンタッチキーに登録されている全ての宛先に対してファクシミリ送信を行うことができる。
【００６１】
図７は、本発明の他の実施形態に係るＭＦＰ１００のＲＡＭ１０３に配置されるワンタッチダイヤルに関連した情報を説明する図である。尚、この他の実施形態に係るＭＦＰの構成等は前述の実施形態と同じであるため、その説明を省略する。尚、図７において、７０１〜７０４，７１０〜７１３，７１５は、前述の図３の３０１〜３０４，３１０〜３１３，３１４と同じ意味を持っている。
【００６２】
この情報は、全体の情報を統括するワンタッチテーブル７０１と個別の宛先情報を保存する宛先情報レコード７１０を含んでいる。ワンタッチテーブル７０１は、一つのワンタッチダイヤルの情報を保存するワンタッチレコード７０２をワンタッチキーの数だけ保有する。図７では、３０個のワンタッチレコードを持つ場合を記述している。一つのワンタッチレコード７０２は、ワンタッチＩＤ７０３、宛先情報アドレス７０４を含む。ワンタッチＩＤ７０３は、ワンタッチダイヤルのＩＤ番号を保存している。宛先情報アドレス７０４は、登録されたワンタッチの宛先情報を保存する宛先情報レコード７１０の先頭アドレスを保存している。ワンタッチレコードが未登録の場合は、宛先情報アドレス７０４には「ＮＵＬＬ」が格納されている。
【００６３】
宛先情報レコード７１０は、ワンタッチレコード７０２の数と同じ数だけ存在する。一つの宛先情報レコード７１０は、ワンタッチ種別７１１、電話番号７１２、略称７１３、事前送出ダイヤル７１４、グループメンバＩＤ７１５を有している。ワンタッチ種別７１１は、ワンタッチダイヤルの種別を保存しており、「個別ダイヤル」か「グループダイヤル」のいずれかが保存される。「個別ダイヤル」は、一つの宛先が設定されていることを表し、「グループダイヤル」は複数の宛先を含んだグループ宛先が設定されていることを表している。そして「グループダイヤル」を構成する複数の宛先のそれぞれは「個別ダイヤル」として登録されているワンタッチダイヤルを複数集めたものとなっている。
【００６４】
電話番号７１２は、ワンタッチダイヤルの宛先の電話番号を保存している。電話番号７１２は、ワンタッチ種別３１１に「個別ダイヤル」が設定されている場合に有効になる。略称７１３は、ワンタッチダイヤルの略称を保存しており、ワンタッチ種別７１１の設定値にかかわらず有効である。事前送出ダイヤル７１４は、ワンタッチダイヤルの宛先をダイヤル送出する前にダイヤルする番号情報を保存する領域である。この事前送出ダイヤル７１４は、ワンタッチ種別７１１の設定値にかかわらず有効である。ファクシミリサーバに対して送信を依頼する場合、送信宛先を入力する前にファクシミリサーバと接続するための電話番号の入力が必要となる。従って、この事前送出ダイヤル７１４に、そのファクシミリサーバの電話番号を登録しておく。これにより、ワンタッチダイヤルの宛先の番号を送出する前に、自動的に事前送出ダイヤル７１４に登録されている電話番号を回線に送出できる。これにより前述の図６のＳ６０４のようなエラーの発生を防止できる。
【００６５】
グループメンバＩＤ７１５は、ワンタッチダイヤルの宛先がグループダイヤルであった場合のグループメンバのワンタッチレコード７０２のＩＤを保存している。この実施形態では、５つまでのメンバの宛先を保存し、それらをグループ化できる。グループメンバＩＤ７１５は、ワンタッチ種別７１１に「グループダイヤル」が設定されている場合に有効になる。
【００６６】
図８は、本発明の他の実施形態に係るＭＦＰ１００によるワンタッチキー処理を説明するフローチャートである。尚、この処理を実行するプログラムはＲＯＭ１０２に記憶されており、ＣＰＵ１０１がこのプログラムを読み出して実行することにより、この処理が達成される。尚、この処理は、前述の実施形態の図５のＳ５０６で実行される処理に相当する。
【００６７】
まずＳ８０１でＣＰＵ１０１は、入力されたワンタッチキーがグループダイヤルであるか否かを判定する。ここでは入力されたワンタッチキーが示すワンタッチダイヤルのワンタッチレコード７０２の宛先情報アドレス７０４が示す宛先情報レコード７１０を取得する。そして、宛先情報レコード７１０のワンタッチ種別７１１が「グループダイヤル」になっているかを確認する。Ｓ８０１で、入力されたワンタッチキーがグループダイヤルでないと判定した場合はＳ８０２に進み、ＣＰＵ１０１は、モデム１０４を制御して、入力されたワンタッチキーに登録されている電話番号を回線に送出する。その際、回線種別２０２が「パルス」であればパルス信号で送出し、「トーン」であればトーン信号で送出する。このとき送出する電話番号は、宛先情報レコード７１０の電話番号７１２に保存されている情報を使用する。尚、このとき事前送出ダイヤル７１４に番号データが保存されていた場合は、電話番号７１２を送出する前に、その番号データを回線に送出する。このように、入力されたワンタッチキーがグループダイヤルでなかった場合は、一つの宛先の情報が登録されているので、ユーザは入力したワンタッチキーの宛先に対して発呼することを望んでいると判断して、通常の発呼を行っている。こうして回線へ電話番号を送出した後は、ワンタッチキー処理を終了する。
【００６８】
一方、Ｓ８０１で、入力されたワンタッチキーがグループダイヤルであると判定した場合はＳ８０３に進み、ＣＰＵ１０１は、ＲＡＭ１０３のワーク領域の前述した「ダイヤル送出フラグ」がオンか否かを判定する。オンでなければＳ８０４に進み、ＣＰＵ１０１は、ワンタッチキーに該当する宛先情報レコード７１０の事前送出ダイヤル７１４に番号が登録されているかを判定する。ここで事前送出ダイヤル７１４に番号が登録されていない場合はＳ８０５に進み、ＣＰＵ１０１は、ワンタッチキーに割り当てられたグループダイヤルに発呼できないことを通知するエラーメッセージを表示部１０６に表示する。
【００６９】
ここで「ダイヤル送出フラグ」は、公衆回線に対して、何かの番号を意味する信号を送出したかどうかを意味している。従って、「ダイヤル送出フラグ」がオフであれば、まだ公衆回線に対して何も番号を送出していないことになる。そして、事前送出ダイヤルの領域にも何も登録されていないので、ここでのワンタッチキーの入力は、ファクシミリサーバへのファクシミリの送信依頼ではなく、相手先への発呼のための入力であると考えられる。しかし、押下されたワンタッチキーはグループダイヤルであり複数の宛先を含んでいる。回線捕捉時に相手機への発呼をする状態で、複数の宛先を含むグループダイヤルが指示されても、その中のどの宛先に発呼していいのか分からない。従って、ここではエラー表示をしている。また、宛先を決めるのではなく、含まれている複数の宛先の電話番号を送出しても、全てにつながらないので、ユーザが希望する動作には決してならない。よって、この場合のエラー表示は適切である。エラー表示後は、このワンタッチキー処理を終了する。
【００７０】
一方、Ｓ８０３で、「ダイヤル送出フラグ」がオンであると判定した場合は、回線捕捉後に、回線に対してダイヤルを送出した後に、グループダイヤルを意味するワンタッチキーが押下されていることになる。従ってこの場合はＳ８０６に進みＣＰＵ１０１は、表示部１０６に複数の宛先の電話番号を連続して回線に送出することをユーザに確認する画面（図９）を表示する。またＳ８０４でＣＰＵ１０１が、事前送出ダイヤル７１４に番号が登録されている場合もＳ８０６に進む。
【００７１】
ＣＰＵ１０１は、事前送出ダイヤル７１４に番号が登録されている場合は、ワンタッチキーに登録されている電話番号に発呼する前に、事前送出ダイヤルを回線に送出する。「ダイヤル送出フラグ」がオンの場合、及び事前送出ダイヤル７１４に番号が登録されている場合も、前もって回線にダイヤルを送出することになる。よって、この場合は、既にファクシミリサーバと接続をしていて、そのファクシミリサーバに対してグループダイヤルを構成するメンバに対する同報指示を行うと考えられる。そこでこの実施形態では、ファクシミリサーバに接続されていることを前提として、グループダイヤルの構成メンバの電話番号を回線に送出する処理を行う場合で説明する。
【００７２】
Ｓ８０６でＣＰＵ１０１は、表示部１０６に複数の宛先のダイヤルを連続で回線に送出することをユーザに確認する画面を表示する。この画面は前述の図９に示されており、その画面におけるユーザの操作は前述した通りである。
【００７３】
Ｓ８０７でＣＰＵ１０１は、操作部１０５で、ユーザによるキー入力があったかを判定し、キー入力があるとＳ８０８に進み、ＣＰＵ１０１は、ユーザが「はい」９０２を選択したか否かを判定する。「はい」９０２を選択していなかった場合は、ユーザは複数の宛先のダイヤルを連続で送出することを許可していないので、そのままワンタッチキー処理を終了する。
【００７４】
Ｓ８０８で、ユーザが「はい」９０２を選択した場合はＳ８０９に進み、ＣＰＵ１０１は、入力されたワンタッチキーが示す宛先情報レコード７１０の事前送出ダイヤル７１４に登録されている番号を回線に送出する。ＣＰＵ１０１は、この送出を、モデム１０４を制御することで実行する。これによりファクシミリサーバとの接続が完了する。事前送出ダイヤル７１４が登録されていない場合は何もしない。
【００７５】
次にＳ８１０に進みＣＰＵ１０１は、入力されたワンタッチキーが示す宛先情報レコード７１０のグループメンバＩＤ７１５の中で先頭ＩＤに対応する宛先をセットする。そしてＳ８１１に進みＣＰＵ１０１は、宛先としてセットされたＩＤから、ワンタッチレコード７０２の宛先情報アドレス７０４が示す宛先情報レコード７１０の電話番号７１２を取得し、モデム１０４を制御して回線に電話番号を送出する。そしてＳ８１２に進みＣＰＵ１０１は、装置情報保存領域２０１の区切り符号２０３に保存されている符号データを読み出して、モデム１０４を制御して回線に送出する。このように区切り符号を送出することで、相手がファクシミリサーバの場合に、そのファクシミリサーバに対して宛先の電話番号の区切りを通知できる。こうしてＳ８１１で送出する電話番号と、Ｓ８１２で送出する区切り符号のセットが、ファクシミリサーバに対する送信を依頼する宛先の一つを通知することになる。
【００７６】
そしてＳ８１３に進みＣＰＵ１０１は、入力されたワンタッチキーが示す宛先情報レコード７１０のグループメンバＩＤ７１５の全てのメンバの宛先をファクシミリサーバに通知したか否かを判定する。ここで未通知の宛先があると判定するとＳ８１４に進み、ＣＰＵ１０１は、入力されたワンタッチキーが示す宛先情報レコード７１０のグループメンバＩＤ７１５の次のメンバＩＤを宛先としてセットしてＳ８１１に戻る。そしてＳ８１３でＣＰＵ１０１が、未通知の宛先がないと判定すると、このワンタッチキー処理を終了する。
【００７７】
このようにＳ８１１とＳ８１２の処理を繰り返すことにより、相手がファクシミリサーバの場合に、そのファクシミリサーバに対して、グループメンバＩＤ７１５の全てのメンバに対する同報送信を依頼することができる。
【００７８】
以上の手順により、ファクシミリサーバを介してファクシミリ送信を依頼する場合でも、ワンタッチダイヤルにグループダイヤルを指定し、そのグループの全ての宛先に対しての同報送信を依頼できる。これにより、ファクシミリサーバを使用するユーザの操作性が改善されるという効果を奏することができる。
【００７９】
以上説明したように本実施形態によれば、ファクシミリサーバを介してファクシミリ送信を依頼する場合でも、ワンタッチダイヤルに割り当てたグループダイヤルを指定することにより、複数の宛先のアドレス指定が簡単に行えるようになった。
【００８０】
また、予めグループダイヤルを設定できるので、操作の間違いによる誤ダイヤルや操作のやり直し等が発生せず、確実に茂木の宛先に送信できるという効果がある。
【００８１】
（その他の実施形態）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【００８２】
本発明は上記実施の形態に制限されるものではなく、本発明の精神及び範囲から離脱することなく、様々な変更及び変形が可能である。従って、本発明の範囲を公にするために、以下の請求項を添付する。
【図１】
2015128233.tif 000003
【図２】
2015128233.tif 000004
【図３】
2015128233.tif 000005
【図４】
2015128233.tif 000006
【図５】
2015128233.tif 000007
【図６】
2015128233.tif 000008
【図７】
2015128233.tif 000009
【図８】
2015128233.tif 000010
【図９】
2015128233.tif 000011